(57)【特許請求の範囲】
【請求項１】
ごみを焼却する焼却炉の排ガス中に消石灰を空気搬送により吹き込んで前記排ガスを処理する排ガス処理方法において、前記消石灰の搬送空気として、ごみピット内の空気を前記排ガスとの熱交換により加熱して前記焼却炉に供給する燃焼用空気の一部を利用することを特徴とする排ガス処理方法。
【請求項２】
請求項１において、前記消石灰の搬送空気として、前記加熱空気に非加熱空気を混合させて用いることを特徴とする排ガス処理方法。
【請求項３】
ごみを焼却する焼却炉と、この焼却炉で発生した排ガスの熱により前記焼却炉の燃焼用空気を加熱する熱交換器と、この熱交換器を通過した排ガスを通過させるバグフィルタと、前記熱交換器よりも下流の排ガス中に消石灰を空気で送る消石灰供給手段とを備えたごみ焼却設備において、前記焼却炉の燃焼用空気は、ごみピット内の空気を前記熱交換器により加熱して生成され、前記消石灰供給手段は、前記焼却炉の燃焼用空気の一部を前記消石灰の搬送空気とすることを特徴とする排ガス処理装置を有するごみ焼却設備。
【発明の詳細な説明】
【０００１】
【発明の属する技術分野】
本発明は、消石灰を排ガス処理系統中に供給する装置を有する焼却設備の排ガス処理方法に関する。
【０００２】
【従来の技術】
従来の装置は、図２に示される様にごみピット１内にある空気を押込送風機２によりエア−ヒ−タ−６に送り込み、そこで空気を加熱して焼却炉３に送られ、１次空気としてごみピット１から送られたごみを焼却する。さらに、焼却炉３で燃え残ったごみは、不燃物排出装置４を通じて不燃物が分離される。その後、焼却によって生じた排ガスはガス冷却室５を通過して冷却され、エア−ヒ−タ−６で熱交換したガスを減温塔７を通して減温させた後、さらにバグフィルタ８によりガスを清浄し、煙突１０により大気中へ排出している。尚、９は誘引通風機であり、全工程での排ガスを誘引している。
【０００３】
また、排ガス中の酸性成分を中和させるため、消石灰貯槽１１に貯溜された消石灰をコンプレッサ１４で圧縮した常温空気で供給機１２を介してバグフィルタ又はバグフィルタ入口煙道などの排ガス処理系統中に吹き込むようになっている。空気中の水分対策としてコンプレッサ−１４の出口及び搬送用ブロワ１３の出口にミストセパレ−タ等が設けられている。
【０００４】
【発明が解決しようとする課題】
従来の排ガス処理方法では、前記の如く、ミストセパレ−タ−等を設けることにより消石灰特有の吸湿性の点について一応対策がされていたにもかかわらず、消石灰が空気中の水分を吸湿して配管等に凝固し、詰まりを生じていた。
また、その結果として、ごみ焼却の効率の低下、それに伴う電気的コストの増加、ごみ焼却設備における各装置の耐久性上において大きな影響があった。
本発明の目的は、消石灰を使用する過程において、搬送空気中に含まれる水分を吸湿して凝固し、また、それを原因とした詰まりを防止することである。
【０００５】
【課題を解決するための手段】
本発明者は焼却設備の排ガス処理方法、特に消石灰の供給について鋭意研究した結果、消石灰を加熱すれば水分を吸湿しにくいことを見いだし、この知見に基づいて本発明をなすに至った。上記目的を達成するため、本発明は、ごみを焼却する焼却炉の排ガス中に消石灰を空気搬送により吹き込んで前記排ガスを処理する排ガス処理方法において、前記消石灰の搬送空気として、ごみピット内の空気を前記排ガスとの熱交換により加熱して前記焼却炉に供給する燃焼用空気の一部を利用することを特徴とする。このように、消石灰の搬送空気として加熱空気を利用すると、消石灰の吸湿性を緩和させることが可能となり、その結果として、配管等に消石灰が凝固することを防止できる。この点で、従来の常温空気を利用していた方法の欠点を克服することが可能である。また、搬送空気として加熱空気を用いることにより、消石灰自体の温度が上昇し、消石灰の吸湿性が緩和されて流動性を上げることが可能となる。その結果非加熱空気を利用した場合と比べて、消石灰を効率良く供給することができる。
特に、消石灰の搬送空気として、ごみピット内の空気を排ガスとの熱交換により加熱した燃焼用空気の一部を利用していることから、他の装置で改めて加熱させることに比べ省エネルギ−の点で効果がある。また、従来の消石灰供給装置と比較すると、消石灰搬送用のコンプレッサやブロワを設置する必要がなくなり、焼却設備の設置のスペ−スも節約できる。
また、消石灰の搬送空気として、加熱空気に非加熱空気を混合させた混合空気を用いることができる。これによれば、加熱空気を適当な温度に下げることが可能であり、新たに冷却機を設置する必要がなく、前記と同様、省エネルギ−の効果がある。
さらに、本発明の排ガス処理方法を直接実施するごみ焼却設備は、ごみを焼却する焼却炉と、この焼却炉で発生した排ガスの熱により前記焼却炉の燃焼用空気を加熱する熱交換器と、この熱交換器を通過した排ガスを通過させるバグフィルタと、前記熱交換器よりも下流の排ガス中に消石灰を空気で送る消石灰供給手段とを備え、前記焼却炉の燃焼用空気は、ごみピット内の空気を前記熱交換器により加熱して生成され、前記消石灰供給手段は、前記焼却炉の燃焼用空気の一部を前記消石灰の搬送空気とすることにより構成できる。
【０００６】
本第３発明は、焼却により発生した排ガスを熱交換器であるエア−ヒ−タ−で減温し、エア−ヒ−タ−で加熱された空気は焼却炉に供給し、減温された排ガスは更に減温塔で減温し、その後、供給される消石灰により中和され、バグフィルタを通って大気中に排出される焼却設備の排ガス処理方法において、前記エア−ヒ−タ−で加熱された空気の一部を消石灰の供給に利用するようにしたことである。
その作用として、エア−ヒ−タ−で加熱された空気の一部を消石灰の供給に利用することで、他の装置で改めて加熱させることに比べ省エネルギ−の点で効果があり、また、従来の焼却設備と比較すると、該加熱空気を供給機にも接続することにより、コンプレッサ及び搬送用ブロワを設置する必要がなくなり、前記と同様、省エネルギ−効果の他、焼却設備の設置のスペ−スも節約できる。
本第４発明は、本第１から３発明において、加熱空気と非加熱空気とを混合させた混合空気により前記消石灰の供給を行うようにしたことである。
その作用として、該加熱空気と該非加熱空気とを混合させることにより、加熱空気を適当な温度に下げることが可能であり、新たに冷却機を設置する必要がなく、前記と同様、省エネルギ−の効果がある。
本第５発明は、可燃物を焼却する焼却炉と、この焼却炉で発生した排ガスの熱により空気を加熱する熱交換器と、この熱交換器を通過した排ガスを通過させるバグフィルタと、前記熱交換器より下流の排ガス中に消石灰を空気で送る消石灰供給手段とを備えた排ガス処理装置を有する焼却設備において、前記消石灰手段は消石灰を送る空気を加熱する空気加熱手段を備えた排ガス処理装置を有する焼却設備である。
その作用として、加熱空気を利用すると消石灰の吸湿性を緩和させることが加能となり、その結果として、配管等に消石灰が凝固することを防止でき、この点で、従来の常温空気を利用していた方法の欠点を克服することが可能である。
【０００７】
【発明の実施の形態】
図面を使って、本発明の実施の形態を説明する。
図１は、本発明のごみ焼却設備の排ガス処理方法においての消石灰供給系統である。
まず、構成について、焼却炉３から排ガスを煙突へ導く過程と、ごみピット１から燃焼用の空気を焼却炉３へ導く過程とに分けて記述する。
前者について、ごみ焼却後の排ガスの経路として、焼却炉３から配管１５でガス冷却室５を介してエア−ヒ−タ−６へ接続され、さらに、エア−ヒ−タ−６から減温塔７を経由してバグフィルタ８に配管１６で接続される。そして、バグフィルタ８から配管１８で誘引通風機９を介して煙突１０へ接続される。尚、バグフィルタ８を通さず、バグフィルタ８の入口と出口をバイパスさせる配管１７が設けられている。
【０００８】
後者について、ごみピット１より配管１９で押込送風機２を介し、さらに、エア−ヒ−タ−６を経由して、配管２０を経て焼却炉３へ接続される。更に配管２０は分岐した配管２５により消石灰貯槽１１に接続されている。一方、配管１９からエア−ヒ−タ−６を経由せずに、途中で枝別れした配管２１は配管２５へ接続され、消石灰貯槽１１に接続される。そして、消石灰貯槽１１から配管２２で供給機１２へ接続され、そこで、配管２５から分岐された配管２３と一つに併合され、配管２４としてバグフィルタ８の入口に接続された配管１６へ接続される。
【０００９】
次に、作用について述べる。
街で集められたごみは一旦ごみピット１に収集される。ごみピット１にある臭気を帯びた空気は、配管１９を通して押込送風機２により誘導され、予め加熱させるためにエア−ヒ−タ−６に通される。エア−ヒ−タ−６で加熱された空気は、配管２０を経て焼却炉３へ供給される。先程のごみピット１から送られてきたごみは、焼却炉３で前記の加熱空気を１次空気として、焼却され、焼却により生じた排ガスは、配管１５を通して、ガス冷却室５に送られ、一定の温度にまで減温される。減温された排ガスは、エア−ヒ−タ−６へ通され、そこで、熱交換され、配管１６により減温塔７へ供給され、さらに減温される。尚、エア−ヒ−タ−６で熱交換により供給された熱量は、配管１９により通した空気を加熱するために使われる。こうして減温された排ガスは、配管１６を通してバグフィルタ８へ送られ、そこで浄化されて、配管１８に通され、誘引通風機９を介して、煙突１０より大気中へ排出される。さらに加熱空気を通している配管２０は配管２５へ接続されており、該加熱空気を消石灰貯槽１１へ供給して、貯溜されている消石灰に該加熱空気を作用させる。これにより、消石灰の吸湿性が緩和される。そして、該加熱空気により消石灰が、供給機１２へ搬送され、さらに、そこで配管２５から分岐した配管２３の中を通って来る加熱空気と混合させられることで勢いづけられ、配管２４を通してバグフィルタ８の入口まで供給される。配管２２、２４等に消石灰が凝固して詰まる恐れがない。
【００１０】
さらに、本発明の注目すべき工程として、ダイヤフラム弁を介した配管２１に非加熱空気を通し、配管２５に接続されることにより配管２０に通された加熱空気と該非加熱空気が混合される。そして、該混合空気を消石灰搬送空気として利用することで、上述した作用の他に該混合空気自体の温度が熱くなりすぎないように適当に下げられ、その結果、他の装置により改めて温度を下げる必要がなくなり消石灰をバグフィルタ８の入口へ供給することが可能となる。
【００１１】
以上、この発明の実施の形態について説明したが、それを以ってこの発明をこの実施の形態例のみに限定するものではなく、この発明の精神を逸脱せずして種々改変を加えて多種多様の変形となし得ることは云うまでもない。
【００１２】
【発明の効果】
以上説明したように、本発明の排ガス処理方法及びごみ焼却設備によれば、消石灰が搬送空気中に含まれる水分を吸湿して凝固したり、その凝固を原因とした詰まりを防止することができる。
【図面の簡単な説明】
【図１】本発明の加熱空気を使用した消石灰供給装置を有するごみ焼却設備の構成図を示す。
【図２】従来の消石灰供給装置を有するごみ焼却設備の構成図を示す。
【符号の説明】
１  ごみピット
２  押込送風機
３  焼却炉
６  エア−ヒ−タ−
８  バグフィルタ
１１  消石灰貯槽
１５−２５  配管
【図１】
0003704629.tif 000002
【図２】
0003704629.tif 000003